(57)【特許請求の範囲】
【請求項１】
燃料電池アセンブリのための排出アセンブリであって、前記燃料電池アセンブリからのガス流を受容するように構成される入口と、前記ガス流を大気に通気させるように構成される出口と、を備えるプレナムを有し、前記プレナムが、前記入口と出口との間で前記プレナムを通る前記流れを制御するための複数のルーバーを具備するルーバーアセンブリを含み、前記プレナムが、前記ルーバーアセンブリの下流に、前記燃料電池アセンブリのパージガスを前記ガス流の中へその希釈のために導入するように構成されるパージガス入口を含み、前記ルーバーアセンブリが、使用に際して、前記プレナム内の前記パージガス入口の遠位の領域に対して、前記パージガス入口の近位の低圧領域を誘起するように構成され、
前記複数のルーバーのうちの少なくとも１つのルーバーが、前記ガス流を制御するために回転可能な回転可能ルーバーであり、
前記ルーバーアセンブリは、１つの固定ルーバーと、前記少なくとも１つの前記回転可能ルーバーとを含み、前記固定ルーバーは前記複数のルーバーのうち前記パージガス入口に最も接近して位置付けられ、前記少なくとも１つの前記回転可能ルーバーは前記ガス流を制御する、排出アセンブリ。
【請求項２】
前記プレナムが、前記入口と前記出口との間にチャネルを形成し、前記複数のルーバーが、前記チャネルに対して実質的に垂直な平面に配設される、請求項１に記載の排出アセンブリ。
【請求項３】
前記ルーバーアセンブリが前記プレナムを通るガス流を実質的に遮断する閉位置と、前記ガス流が前記ルーバーアセンブリを通ることを可能にするように構成される開位置との間で移動可能である、請求項１に記載の排出アセンブリ。
【請求項４】
前記複数のルーバーのうちのサブセットが、前記低圧領域を作り出すために異なった形状を有する、請求項１に記載の排出アセンブリ。
【請求項５】
前記複数のルーバーの前記サブセットが、前記複数のルーバーのうちの前記パージガス入口に最も近いルーバーを備える、請求項４に記載の排出アセンブリ。
【請求項６】
前記複数のルーバーの前記サブセットが、前記ガス流に対して、前記サブセットの一部を形成しない前記ルーバーよりも大きい断面積を示すように構成される、請求項４に記載の排出アセンブリ。
【請求項７】
前記少なくとも１つの前記回転可能ルーバーのうちの１つが、前記固定ルーバーに接触する閉位置と、前記固定ルーバーから離間配置される開位置との間で移動可能である、請求項１に記載の排出アセンブリ。
【請求項８】
前記プレナムが、前記入口と前記ルーバーアセンブリとの間にファンアセンブリを含み、前記ファンアセンブリが、前記プレナムを通る前記ガス流を吸い込むように構成される、請求項１に記載の排出アセンブリ。
【請求項９】
前記少なくとも１つのルーバーアセンブリが、前記ルーバーアセンブリが前記プレナムを通るガス流を実質的に遮断する閉位置と、前記ガス流が前記ルーバーアセンブリを通ることを可能にするように構成される開位置との間で移動可能であり、前記少なくとも１つの前記回転可能ルーバーが、当該ルーバーが開位置にあるときに前記固定ルーバーに接触するように構成される、請求項１に記載の排出アセンブリ。
【発明の詳細な説明】
【技術分野】
【０００１】
本発明は、排出アセンブリに関する。具体的には、本発明は、大気への放出前にパージガスを希釈するための排出アセンブリのプレナムに関する。本発明はまた、燃料電池システムにも関する。
【背景技術】
【０００２】
従来の電気化学的燃料電池は、燃料及び酸化剤を電気エネルギー及び反応生成物に変換する。よく見られるタイプの電気化学的燃料電池は、アノード流路またはガス拡散構造とカソード流路またはガス拡散構造との間に重合イオン（プロトン）移動膜を含む、膜電極アセンブリ（ＭＥＡ）を備える。水素などの燃料、及び空気からの酸素などの酸化剤は、ＭＥＡのそれぞれの側部を通過して、電気エネルギー及び反応性生物としての水を生成する。スタックは、別々のアノード流体流路及びカソード流体流路が配設された、多数のこのような燃料電池を備えて形成することができる。このようなスタックは、典型的には、スタックの両端部で端部プレートによって一緒に保持される多数の個々の燃料電池プレートを備える、ブロックの形態である。重合イオン移動膜が、効率的な動作のために水和した状態を維持することが重要である。また、スタックの温度が制御されることも重要である。したがって、冷却及び／または水和のために、冷却剤をスタックに供給することができる。特定の時期または定期的に、パージガスを使用して、燃料電池の流路またはガス拡散構造から冷却剤、汚染物質、または反応副生成物をパージすることが必要であり得る。燃料（例えば、水素）を含むことができるパージガスは、アノード流路を通って流れて、燃料電池をパージすることができる。
【０００３】
本発明の第１の態様によれば、発明者らは、燃料電池アセンブリのための排出アセンブリを提供し、該排出アセンブリは、燃料電池アセンブリからのガス流を受容するように構成される入口を有するプレナムと、ガス流を大気に通気させるように構成される出口と、を備え、該プレナムは、入口と出口と間でプレナムを通る流れを制御するためのルーバーアセンブリを含み、該プレナムは、ルーバーアセンブリの下流に、燃料電池アセンブリのパージガスをガス流の中へその希釈のために導入するように構成されるパージガス入口を含み、該ルーバーアセンブリは、使用に際して、プレナム内のパージガス入口の遠位の領域に対して、パージガス入口の近位の低圧領域を誘起するように構成される。
【０００４】
これは、ルーバーアセンブリがパージガス入口の上のガス流を修正するための好都合な構造を提供するので好都合である。これは、ルーバーアセンブリによって作り出される低圧力領域によって、プレナムの中へのパージガス入口を通る流れを好都合に促進することができる。したがって、ルーバーアセンブリは、入口と出口との間のガス流を制御すること、及びパージガス入口からの流れを促進すること、といった２つの機能を好都合に行う。これは、他の構造またはファンに対する必要性を取り除くことができる。
【０００５】
ルーバーアセンブリは、燃料電池アセンブリを使用しているときに、ガス流を能動的に制御するように構成することができる。
【０００６】
随意に、ルーバーアセンブリは、複数のルーバーを備える。ルーバーは、横並びにアレイ状に配設することができる。随意に、ルーバーの少なくとも１つ以上は、ガス流を制御するために各々が回転可能である。
【０００７】
随意に、プレナムは、入口と出口との間にチャネルを形成し、複数のルーバーが、チャネルに対して実質的に垂直な平面に配設される。
【０００８】
随意に、ルーバーアセンブリは、ルーバーアセンブリがプレナムを実質的に遮断する閉位置と、ガス流がルーバーアセンブリを通ることを可能にするように構成される開位置との間で移動可能である。
【０００９】
随意に、複数のルーバーのサブセットは、該低圧力領域を作り出すために異なって成形される。ルーバーのサブセットの形状に対する修正は、低圧領域を作り出すための好都合な方法を提供する。
【００１０】
随意に、サブセットは、パージガス入口に最も近い複数のルーバーのルーバーを備える。
【００１１】
随意に、ルーバーのサブセットは、ガス流に対して、サブセットの一部を形成しないルーバーよりも大きい断面積を示すように構成される。より大きい面積は、ガス流に対するより大きい障害を提供し、それによって、（限度内で）ルーバーの上の該ガス流の速度を増加させ、これは、低圧領域をもたらすことができる。
【００１２】
随意に、サブセットのルーバー（複数可）は、より広い翼前縁及び／または翼後縁を備える。随意に、サブセットのルーバー（複数可）は、翼弦線に対して垂直により厚い。サブセットのルーバーの形状は、サブセットの一部ではないルーバーの１つ以上に関連し得るか、またはサブセットの一部ではないルーバーの平均に関連し得ることが認識されるであろう。
【００１３】
随意に、ルーバーアセンブリは、ガス流を制御するための１つの固定ルーバー及び少なくとも１つの可動ルーバーを含み、固定ルーバーは、パージガス入口に最も近く位置付けられる。ここでも、移動可能なルーバーは、ガス流を能動的に制御するように構成することができる。
【００１４】
随意に、少なくとも１つの可動ルーバーのうちの１つは、固定ルーバーに接触する閉位置と、固定ルーバーから離間配置される開位置との間で移動可能である。
【００１５】
随意に、固定ルーバーは、パージガス入口がプレナムに進入する側壁に実質的に隣接して、ガス流に対する翼前縁を含む。随意に、固定ルーバーは、パージガス入口がプレナムに進入する側壁から延在する、ガス流に対する翼前縁を含む。
【００１６】
随意に、固定ルーバーは、パージガス入口がプレナムに進入する場所の実質的に上側に、かつそこから離間配置される、ガス流に対する翼後縁を含む。随意に、固定ルーバーは、パージガス入口がプレナムに進入する場所の実質的に下流に、かつそこから離間配置される、ガス流に対する翼後縁を含む。
【００１７】
随意に、固定ルーバーは、そこを通る１つのスロットまたは複数のスロットを含む。
【００１８】
随意に、そのスロットまたは各スロットは、入口からのガス流を、パージガス入口がプレナムに進入する側壁に向かって方向付けるように角度が付けられる。
【００１９】
随意に、ルーバーアセンブリの上流で、プレナムは、少なくともルーバーアセンブリが実質的にプレナムを遮断する構成を採用したときに入口からのガス流を受容するように構成される、迂回開口を含む。
【００２０】
随意に、プレナムは、入口とルーバーアセンブリとの間にファンアセンブリを含み、ファンアセンブリは、プレナムを通るガス流を吸い込むように構成される。
【００２１】
随意に、パージガス入口は、プレナムの側壁に位置付けられる。
【００２２】
随意に、パージガス入口は、パージガス入口がプレナムに進入する側壁から、プレナムの中へ延在するように構成されるフードを含み、また、プレナムを通る該ガス流に対して下流方向に実質的に面する開放開口を含む。
【００２３】
随意に、フードは、使用時に空気流をフードの周囲に方向付けるための、開放開口に対向する偏向表面を備える。
【００２４】
本発明の更なる一態様によれば、発明者らは、第１の態様の燃料電池アセンブリ及び排出アセンブリを備える燃料電池システムを提供し、燃料電池アセンブリは、活性領域のどちらかの側部にアノード流路及びカソード流路を含み、アノード流路の排出は、排出システムのパージガス入口に接続される。
【００２５】
随意に、カソード流路の排出ポートは、排出アセンブリの入口に接続される。したがって、プレナムを通るガス流は、カソード排出を備える。
【図面の簡単な説明】
【００２６】
以下、単なる一実施例として、以下の図面を参照しながら本発明の実施形態の詳細な説明を続ける。
【００２７】
【図１】例示的な燃料電池システムの概略図である。
【図２】開位置のルーバーを有する燃料電池システムのための例示的な排出アセンブリの概略断面図である。
【図３】閉位置のルーバーを有する図２の排出アセンブリの概略断面図である。
【図４】固定ルーバーを有する燃料電池システムのための更なる例示的な排出アセンブリの概略断面図である。
【図５】図４の例示的な排出アセンブリの概略斜視図である。
【図６】固定ルーバーを通しての概略断面図である。
【図７】燃料電池システムのための更なる例示的な排出アセンブリの概略斜視図である。
【００２８】
図１は、燃料電池アセンブリ２、及び燃料電池アセンブリ２から大気に排出流を通気させるための排出アセンブリ３を備える、燃料電池システム１を示す。排出アセンブリ３は、燃料電池アセンブリ２を通るアノード流路及び燃料電池アセンブリ２を通るカソード流路を出る流体を受容するように構成されるプレナム４を含む。パージ動作中に、燃料（例えば、水素）などのガスは、アノード流路を通って流れて、アノード流路から冷却剤、水和流体、汚染物質、及び／または反応副生成物をパージする。プレナム４は、排出パージガスを受容し、該排出パージガスを大気に放出する前に希釈するように構成される。
【００２９】
燃料電池アセンブリ２は、この実施例において、一緒にスタックされた複数のプロトン交換膜燃料電池を含む燃料電池スタックを備える。燃料電池アセンブリ２は、アノード入口５を通る水素などの燃料の流れ、及びカソード入口６を通る空気などの酸化剤の流れを受容するように構成される。アノード排出７は、任意の未使用の燃料及び任意のパージガスの貫通流を可能にするために提供される。カソード排出８は、酸化剤の貫通流を可能にするために提供される。
【００３０】
パージ制御弁１０は、アノード排出７に接続され、プレナム４へのパージガスの通過を制御する。他の実施形態において、パージ制御弁は、アノード排出７とプレナム４との間に提供されない。プレナム４は、アノード排出７からパージガスを受容するためのパージガス入口１１を含む。燃料電池アセンブリ２からのカソード排出出口８もまた、プレナム４に接続する。それに応じて、プレナム４は、カソード排出８からのカソード排出流を受容するための入口１２を含む。排出アセンブリ３は、入口１２及びパージガス入口１１の下流に、プレナム４から大気への出口１３を含む。この実施形態において、プレナム４は、カソード排出ガスによってパージガスを希釈するように構成されるが、他の実施形態では、大気などの異なるガス流を入口１２において受容することができる。
【００３１】
図２を参照すると、プレナム４は、入口１２と出口１３との間でプレナム４を通る流れを制御するためのルーバーアセンブリ１４を含む。プレナム４は、入口１２を形成する開放端部を備える細長いハウジングと、出口１３を形成する対向する開放端部と、（断面プロファイルに応じた）それらの間の１つ以上の側壁と、を備える。プレナム４は、実質的に正方形または長方形の断面とすることができる。パージガス入口１１は、ルーバーアセンブリ１４の下流に位置付けられ、また、燃料電池アセンブリ２からのパージガスを、希釈のために、入口１２と出口１３との間でガス流に導入するように構成される。パージガス入口１１は、ルーバーアセンブリ１４の一部に隣接する側壁１５を通ってプレナム４に進入し、そこで、ルーバーアセンブリ１４は、筐体の断面積全体にわたって延在する。ルーバーアセンブリ、具体的には、パージガス入口１１に隣接するその一部は、使用に際して、領域１７に対してパージガス入口１１の近位の低圧領域１６を、プレナム４内のパージガス入口１１の上側、かつ遠位に誘起するように構成される。したがって、全般に、プレナムは、使用に際して、入口と出口との間のガス流による正の圧力を有するが、ルーバーアセンブリは、プレナムの中へのパージガス入口の開口部に隣接する（大気圧よりも低いなどの）低圧領域を作り出すように構成される。
【００３２】
ルーバーアセンブリ１４は、アレイ状に配設される複数のルーバー１４ａ〜ｄを備える。図２は、入口１２から出口１３へのプレナム４を通る流れに対して実質的に垂直に延在する、アレイ状の４つのルーバーを示す。ルーバーの各々は、プレナムの全幅を横断して延在する。ルーバー１４ａ〜ｄは、入口１２から出口１３へのガス流を制御するために各々が回転可能である。ルーバーは、それらの軸を中心に各々が回転可能であり、図２に示される視野において、ページの内外に延在する。ルーバーアセンブリ１４の各ルーバー１４ａ〜ｄは、ルーバーアセンブリがプレナム４を通るガス流を実質的に遮断する閉位置（図３）と、ガス流がルーバーアセンブリ１４を通ることを可能にするように構成される開位置（図２）との間で回転可能である。しがたって、図３に示されるような閉位置において、ルーバー１４ａ〜ｄの各々は、ルーバー１４ａ〜ｄが互いに接触し、ルーバーアセンブリ１４の端部のルーバー１４ａ及び１４ｄがプレナム４の側壁に接触するように回転している。この位置において、ルーバー１４ａ〜ｄは、プレナム４における遮断物を形成する。この実施例において、例えば、ルーバー１４ａ〜ｄが閉位置にあるときに、入口１２を介して受容されるガス流は、燃料電池アセンブリにおいて再使用するために、迂回開口１８の中へ迂回される。ルーバー１４ａ〜ｄの回転位置などの位置は、動作中に、能動的に制御することができる。更に、ルーバー１４ａ〜ｄは、それらが同時に回転するように一緒に接続することができる。
【００３３】
図２の実施例において、低圧領域１６は、複数のルーバーのサブセットの形状によって誘起される。ルーバーアセンブリ１４の第４のルーバー１４ｄは、該低圧領域１６を作り出すために、他のルーバー１４ａ〜ｃとは異なって成形される。したがって、この実施例では、パージガス入口１１に最も近いルーバー１４ｄだけがサブセットの一部を形成するが、他の実施例では、２つ以上のルーバーがサブセットの一部を形成することができる。具体的には、サブセットは、パージガス入口１１に最も近いルーバーアセンブリ１４のルーバー（複数可）を備える。
【００３４】
第４のルーバー１４ｄは、他のルーバー１４ａ〜ｃと異なる形状を有する。具体的には、第４のルーバーは、ガス流に対してより大きい断面積を示すために、より大きいヘッド部分または厚さを有する。サブセットのルーバー１４ｄは、他のルーバーと比較して、より厚い翼前縁及び／またはより厚い翼後縁を有することができる。更に、サブセットのルーバー１４ｄは、ルーバーの翼弦線２１に対して垂直により厚くすることができる。
【００３５】
ルーバー１４ｄの形状及び／または厚さは、該ルーバーを翼として作用させ、低圧領域１６を作り出す。これは、低圧領域１６が、弁１０（更にはアノード排出７）から入口１１へパージガスを搬送する導管２２から流体を吸い込むように作用するので好都合である。導管２２は、少なくともパージ動作の合間に大気圧とすることができる。したがって、低圧領域１６は、大気圧よりも低い圧力とすることができる。
【００３６】
ルーバーアセンブリ１４及び再循環開口１８の上流で、プレナムは、ファンアセンブリ２３を含む。ファンアセンブリ２３は、プレナム４を通して入口１２から出口１３へガス流を移動させるように構成される。ファンアセンブリは、２つのファン２４、２５を備え、該ファンは、一緒にまたは個々に、選択的に作動させること、及び／または該ファンの速度を制御することができる。ファンアセンブリ２３は、燃料電池アセンブリ２の性能に基づいて、または該燃料電池アセンブリを制御するために制御することができる。
【００３７】
パージガス入口１１は、側壁１５からプレナム１４の内部容積の中へ延在するように構成される、フード２６を含む。フード２６は、入口１１を通る流れを、入口１２と出口１３との間のガス流に対して下流方向に、プレナム１４の中へ迂回させるように成形される。故に、フード２６は、下流方向に実質的に面する開放開口２７を含む。フード２６自体は、入口１２と出口１３との間のガス流の中へ延在すること、及び偏向表面２８によってフード２６の周囲で偏向させることにより、開口２７の周囲に低圧領域を作り出す。しかしながら、ルーバー１４ｄのサブセットと組み合わせて、フード２６及びルーバーアセンブリ１４は、パージガスの導管２２を空にするための有効かつ空間効率的な手段を提供する。フード２６は、プレナム４の全幅を横断して延在するルーバー１４ａ〜ｄと比較して、より狭い幅とすることができる。
【００３８】
使用に際して、プレナム４は、典型的には、図２に示される構成を採用し、該図において、ルーバーアセンブリ１４は、開位置にあり、ファンアセンブリ２３は、プレナム４を通るカソード排気流を大気に駆動している。
【００３９】
起動もしくは停止時に、または定期的に、または指示によって起こり得るパージ動作中に、水素燃料が、（場合により）通常の水素流れ圧力に対して高められた圧力で、アノード入口５及びアノード排出７を介して、アノード流路を通って流れる。これは、燃料電池アセンブリ２をパージするが、排出アセンブリ３における水素の比較的高い濃度をもたらし、これは、大気に放出する前に希釈を必要とする。
【００４０】
存在する場合に、弁１０は、パージ動作の開始時に作動して、パージガスを、入口１１を通してプレナム４の中へ放出することができる。パージ動作中に存在する水素圧力は、それ自体で、カソード排出流による希釈のために水素をプレナム４の中へ駆動するのに十分である。パージ動作の終了時に、導管２２の圧力が下がり、これは、排出システムにおいて水素ガスを比較的高い濃度のままにさせることができる。しかしながら、プレナム４の中のルーバーアセンブリ１４によって作り出される低圧領域１６は、導管２２からプレナム４の中へ水素を吸い込むように作用する。低圧領域１６はまた、パージ動作中の水素の希釈を支援することもできる。ルーバーアセンブリは、プレナムのより大きい容積内に、パージガス入口に位置付けられる局在的な低圧領域を生成するように構成されることが好都合である。
【００４１】
図４は、更なる例示的なプレナム４を示し、同じ部品には、同じ参照番号が使用されている。図４のプレナム４は、異なるルーバーアセンブリ１４を含む。具体的には、ルーバーアセンブリは、複数（３つ）の可動ルーバー１４ａ〜ｃ及び１つの固定ルーバー４０を含む。固定ルーバー４０は、パージガス入口１１に最も近く位置付けられる。固定ルーバーは、図２の実施例のパージガス入口１１に最も近いルーバー１４ｄを置き換えると考えることができる。したがって、可動ルーバー１４ａ〜ｃは、プレナム４を通るカソード排出流を能動的に制御するように構成される。ルーバーアセンブリ１４がバリアを形成することによってプレナム４が遮断される閉位置において、固定ルーバー４０に最も近いルーバー１４ｃは、固定ルーバー４０に接触して該バリアを形成するように構成される。開位置において、ルーバー１４ｃは、固定ルーバー４０から離間配置される。
【００４２】
固定ルーバー４０は、低圧領域１６をパージガス入口１１に局在的に作り出すように構成される。固定ルーバー４０は、パージガス入口１１が延在する側壁１５から、プレナム４の内部容積の中へ延在する。固定ルーバー４０は、側壁１５に対して約２０〜７０°、または２０〜６０°、または２０〜５０°の角度で傾斜する。固定ルーバーは、プレナム４の幅を横断して延在する。したがって、固定ルーバー４０は、入口１２から、側壁１５から延在する出口１３へのガス流に対する翼前縁４１を有する。他の実施例において、翼前縁４１は、側壁１５に実質的に隣接する。固定ルーバー４０の翼後縁４２は、パージガス入口１１の実質的に上側に（側壁１５に対して垂直に、かつプレナムの内部容積の中へ）配設され、かつそこから離間配置される。他の実施例において、翼後縁４２は、パージガス入口１１の実質的に下流に位置付けられ、かつそこから離間配置され、よって、パージガス入口は、固定ルーバー４０（または更なる実施例では、可動ルーバー）の翼前縁４１と翼後縁４２との間のプレナム４に対する長手方向位置から延在する。
【００４３】
固定ルーバー４０は、その幅を横断してくぼみ４３を含む。このくぼみは、ルーバーアセンブリ１４が閉位置を採用したときに、該くぼみの最も近くでルーバー１４ｃの縁部を受容するように構成される。
【００４４】
固定ルーバー４０は、パージガス入口１１上での流速の局在的な増加及び関連する圧力降下を引き起こし、低圧領域１６につながる。側壁１５と固定ルーバー４０との間の空洞におけるガス流は、乱流になり得るが、これは、パージガス入口１１からの水素とカソード排出流との混合を支援し得る。
【００４５】
図５は、図４に示される実施例に類似する、更なる一実施例を示し、同じ部品には、同じ参照番号が使用されている。この実施例において、ファンアセンブリ２３は、４つのファンを含む。更に、固定ルーバー４０は、入口１２に向かって方向付けられた側部から、出口１３に向かって方向付けられた側部へ固定ルーバー４０を通って延在する、スロット５０を含む。スロット５０は、ルーバーの全幅を、固定ルーバー４０の幅の大部分または一部を横断して延在することができる。スロット５０は、パージガス入口１１と整列した状態で、固定ルーバー４０の幅に沿って位置付けることができる。
【００４６】
スロット５０は、ルーバーアセンブリ１４が閉位置にあるときでも、入口１２と出口１３との間のガスの流れを提供するので好都合である。したがって、低圧領域１６は、スロット５０を通る流れによって作り出すことができる。ルーバーアセンブリ１４が閉位置にあるときに、ルーバーアセンブリ１４の下流のプレナムの残部が実質的に大気圧となるので、スロット５０を通る流れが十分であり得ることが認識されるであろう。しかしながら、ルーバーアセンブリ１４が開位置にあるときには、プレナム４を通る全体的な流れを考慮すれば、固定ルーバー４０上での流れが、低圧領域１６を作り出すのに十分な流速を発生させることが必要であり得る。
【００４７】
別の実施例では、複数のスロット５０が固定ルーバー４０に提供される。図示しない別の実施形態では、１つまたは複数のスロット５０が、パージガス入口１１に最も近い可動ルーバー１４ｄに、またはパージガス入口１１上でのガス流に対してもっと大きい影響を及ぼすルーバーに提供される。
【００４８】
図６は、固定ルーバー４０を通るスロット６０（図５のスロット５０に類似する）の角度が側壁１５に向かって方向付けられる、更なる一実施例を示す。したがって、スロット６０は、入口からガス流を、パージガス入口１１がプレナム４に進入する側壁１５に向かって方向付けるように角度が付けられる。図６は、パージガス入口１１の下流で側壁１５の方を指すように角度が付けられたスロット６０を示す。プレナム４を通る平均流れ方向に傾斜するスロット６０を有することで、パージガス入口１１の周囲に低圧領域１６を好都合に作り出す。
【００４９】
図７は、パージガス入口１１が側壁１５の中央ではなくプレナム４の片側に位置付けられた、更なる一実施例を示す。固定ルーバー４０は、その中に複数のスロット５０ａ、５０ｂを有して示される。スロット５０ａ及び５０ｂは、流れがパージガス入口１１の上側ではなくその側部に通るように構成される。図７はまた、一組として一緒に可動ルーバー１４の位置を変えるために該可動ルーバーの各々に接続する、ルーバー接続バー７０も示す。
【００５０】
フード２６は、この実施例において、固定ルーバー４０と一体化され、したがって、固定ルーバーは、突出部を有し、該突出部は、パージガスが（入口１２から出口１３への流れに対して）下流方向にプレナムの内部空間の中へ進入するように、下流に、かつプレナムの中への入口１１の開口部の上に延在する。
【００５１】
更に、この実施例において、パージガス入口１１に２番目に近いルーバー１４ｃは、入口１１からより遠くのルーバーと異なる。したがって、パージガス入口１１に最も近いルーバー及び２番目に近いルーバーは、パージガス入口１１の領域における空気流を修正するように構成される。具体的には、ルーバー１４ｃは、ルーバーが開位置にあるときに、ルーバー１４ｃと固定ルーバー４０との間に延在するように構成される、翼後縁フラップ５１を含む。フラップ５１は、フラップの幅を横断して一部分だけ延在するスロット５２を含む。フラップ５１は、プレナム４の幅を横断して延在する。スロット５２は、該フラップ５１の中央に位置付けられるが、他の位置に位置付けることができる。パージガス入口に最も近いプレナムの半分において低圧を、及び場合により乱気流を作り出すために、（ルーバーによる）空気流の修正が好都合であることが分かっている。他の実施形態において、パージガス入口１１からより遠くに実質的に薄層状の流れを提供し、かつパージガス入口１１のより近くにより速い及び／またはより大きい乱流を提供する、ルーバーを提供することが好ましくなり得る。
【００５２】
スロット５０及び／または傾斜スロット６０は、上で説明した実施例のいずれかに提供することができる。図２〜図４及び図７に関連して上で論じた実施例は、フード２６を示すが、これは、存在する場合もあり、または存在しない場合もある。固定ルーバー４０は、側壁１５のプレナム４の内部容積の中への局在的な突出部によって形成することができる。ルーバーアセンブリ１４の他のルーバーのうちの少なくとも１つは、局在的な突出部に接触するように構成することができる。
【図１】
0006725505.tif 000002
【図２】
0006725505.tif 000003
【図３】
0006725505.tif 000004
【図４】
0006725505.tif 000005
【図５】
0006725505.tif 000006
【図６】
0006725505.tif 000007
【図７】
0006725505.tif 000008